(57)【要約】【課題】紐式エアダンパーの紐の先端部を収納装置側に容易に取り付けることのできる収納装置におけるダンパーの取付構造の提供。【解決手段】支持体に支持されて後壁Ｂａを有する収納体Ｂと、支持体に固定される紐式エアダンパーとを備え、該エアダンパーは、シリンダーと、紐の基端部が連結されてシリンダー内を移動するピストンと、ピストンをシリンダー内で付勢するスプリングとを有し、紐の先端部をクリップ２を介して収納体の後壁側に取り付ける取付構造であって、収納体の側壁Ｂｂに紐をＵターンさせるＵターン部１１を形成する一方、収納体の後壁Ｂａの上端縁にクリップを仮止めする第１止め部７とクリップを本止めする第２止め部８を一定の間隔をおいて形成して、クリップを第１止め部に係止した後、クリップを第２止め部にスライドさせて係止するだけで、紐式エアダンパーの紐の先端部を簡単に取り付けることが可能となる。【選択図】          図６
2004216969.tif 000002
【特許請求の範囲】
【請求項１】
支持体側に回動可能に支持されて後壁を有する収納体と、支持体側に固定される紐式エアダンパーとを備え、該紐式エアダンパーは、筒状のシリンダーと、紐の基端部が連結されてシリンダー内を移動するピストンと、ピストンをシリンダー内で一方向に付勢するスプリングとを有し、上記紐の先端部をクリップを介して収納体の後壁側に取り付けるダンパーの取付構造であって、収納体の側壁に紐をＵターンさせるＵターン部を形成する一方、収納体の後壁の上端縁にクリップを仮止めする第１止め部とクリップを本止めする第２止め部を一定の間隔をおいて形成して、クリップが上記第１止め部に係止している時は、紐式エアダンパーの紐が弛み、クリップが第２止め部に係止した時は、紐式エアダンパーの紐が張ることを特徴とする収納装置におけるダンパーの取付構造。
【請求項２】
第１止め部と第２止め部の間にはスライドガイド部が形成されて、当該スライドガイド部を介して、クリップが第１止め部と第２止め部間をスライドすることを特徴とする請求項１記載の収納装置におけるダンパーの取付構造。
【請求項３】
クリップは、スライドガイド部に対して把持状態を維持してスライド可能であることを特徴とする請求項２記載の収納装置におけるダンパーの取付構造。
【請求項４】
スライドガイド部は、収納体の後壁に沿った凸条リブを有することを特徴とする請求項２乃至請求項３のいずれかに記載の収納装置におけるダンパーの取付構造。
【請求項５】
支持体側にクリップの着脱可能な保持部を形成したことを特徴とする請求項１記載の収納装置におけるダンパーの取付構造。
【請求項６】
支持体側に回動可能に支持されて後壁を有する収納体と、支持体側に固定される紐式エアダンパーとを備え、該紐式エアダンパーは、筒状のシリンダーと、紐の基端部が連結されてシリンダー内を移動するピストンと、ピストンをシリンダー内で一方向に付勢するスプリングとを有し、上記紐の先端部をクリップを介して収納体の後壁側に取り付けるダンパーの取付方法であって、収納体の側壁に紐をＵターンさせるＵターン部を形成する一方、収納体の後壁の上端縁にクリップを仮止めする第１止め部とクリップを本止めする第２止め部を一定の間隔をおいて形成して、紐をＵターン部に引っ掛ける状態を得て、支持体側の保持部に保持されているクリップを収納体の第１止め部に係止した後、該クリップを把持状態を維持して第２止め部にスライドさせることにより、紐式エアダンパーの紐の先端部をクリップを介して収納体の後壁側に取り付けることを特徴とする収納装置におけるダンパーの取付方法。
【発明の詳細な説明】
【０００１】
【発明の属する技術分野】
本発明は、例えば、自動車のインストルメントパネル側に回動可能に支持されるグローブボックスの如く、その開閉動が紐式エアダンパーによってコントロールされる収納装置において、上記紐式エアダンパーの紐の先端部を収納装置側に取り付ける取付構造と取付方法に関するものである。
【０００２】
【従来の技術】
従来にあって、インストルメントパネル側に固定される紐式エアダンパーの紐の先端部をグローブボックス側に取り付ける場合には、紐の先端部を連結部材を介して取り付けるか、或いは、紐の先端部を直にグローブボックス側に取り付けている（例えば、特許文献１参照）。
【０００３】
【特許文献１】
実用新案登録第２５５７０６４号公報（図１）
【０００４】
【発明が解決しようとする課題】
然し乍ら、このような取付構造及び取付方法の下では、紐はばね圧で紐式エアダンパーのシリンダー内部に強制的に引き込まれている関係で、連結部材を介して取り付ける場合でも直に取り付ける場合でも、紐の先端部をばね圧に抗して無理に引き出さなければならないので、いずれにしても、紐の先端部をグローブボックス側に取り付けることは中々困難であった。
【０００５】
【課題を解決するための手段】
本発明は、斯かる従来の取付構造及び取付方法が抱える課題を有効に解決するために開発されたもので、請求項１記載の発明は、支持体側に回動可能に支持されて後壁を有する収納体と、支持体側に固定される紐式エアダンパーとを備え、該紐式エアダンパーは、筒状のシリンダーと、紐の基端部が連結されてシリンダー内を移動するピストンと、ピストンをシリンダー内で一方向に付勢するスプリングとを有し、上記紐の先端部をクリップを介して収納体の後壁側に取り付けるダンパーの取付構造であって、収納体の側壁に紐をＵターンさせるＵターン部を形成する一方、収納体の後壁の上端縁にクリップを仮止めする第１止め部とクリップを本止めする第２止め部を一定の間隔をおいて形成して、クリップが上記第１止め部に係止している時は、紐式エアダンパーの紐が弛み、クリップが第２止め部に係止した時は、紐式エアダンパーの紐が張る構成を採用した。
【０００６】
請求項２記載の発明は、請求項１を前提として、第１止め部と第２止め部の間にはスライドガイド部が形成されて、当該スライドガイド部を介して、クリップが第１止め部と第２止め部間をスライドする構成を採用した。
【０００７】
請求項３記載の発明は、請求項２を前提として、クリップは、スライドガイド部に対して把持状態を維持してスライド可能である構成を採用した。
【０００８】
請求項４記載の発明は、請求項２乃至請求項３を前提として、スライドガイド部は、収納体の後壁に沿った凸条リブを有する構成を採用した。
【０００９】
請求項５記載の発明は、請求項１を前提として、支持体側にクリップの着脱可能な保持部を形成する構成を採用した。
【００１０】
請求項６記載の発明は、支持体側に回動可能に支持されて後壁を有する収納体と、支持体側に固定される紐式エアダンパーとを備え、該紐式エアダンパーは、筒状のシリンダーと、紐の基端部が連結されてシリンダー内を移動するピストンと、ピストンをシリンダー内で一方向に付勢するスプリングとを有し、上記紐の先端部をクリップを介して収納体の後壁側に取り付けるダンパーの取付方法であって、収納体の側壁に紐をＵターンさせるＵターン部を形成する一方、収納体の後壁の上端縁にクリップを仮止めする第１止め部とクリップを本止めする第２止め部を一定の間隔をおいて形成して、紐をＵターン部に引っ掛ける状態を得て、支持体側の保持部に保持されているクリップを収納体の第１止め部に係止した後、該クリップを把持状態を維持して第２止め部にスライドさせることにより、紐式エアダンパーの紐の先端部をクリップを介して収納体の後壁側に取り付ける構成を採用した。
【００１１】
依って、請求項１記載の発明にあっては、紐の先端部に連結されているクリップを収納体の後壁に形成された第１止め部に係止した後、当該クリップを同じく収納体の後壁に形成された第２止め部にスライドさせて係止するだけで、紐式エアダンパーの紐の先端部をクリップを介して収納体の後壁側に簡単に取り付けることが可能となる。しかも、クリップが第１止め部に係止している時には、紐が弛んでいるので、クリップを第２止め部にスライドさせる場合にも、スライド作業が容易となる。
【００１２】
請求項２記載の発明にあっては、クリップはスライドガイド部に沿ってスライドできるので、第１止め部と第２止め部間を確実にスライドさせることが可能となる。請求項３記載の発明にあっては、クリップを把持しながらスライドさせることができるので、スライド作業が容易となる。請求項４記載の発明にあっては、スライドガイド部が凸条リブを有するので、スライド中に、クリップがスライドガイド部から抜け外れる心配がない。請求項５記載の発明にあっては、クリップを予め支持体側の保持部に保持させることができるので、クリップを第１止め部に仮止めする作業が容易となる。
【００１３】
請求項６記載の発明にあっても、請求項１と同様に、紐の先端部に連結されているクリップを収納体の後壁に形成された第１止め部に係止した後、当該クリップを同じく収納体の後壁に形成された第２止め部にスライドさせて係止するだけで、紐式エアダンパーの紐の先端部をクリップを介して収納体の後壁側に簡単に取り付けることが可能となる。
【００１４】
【発明の実施の形態】
以下、本発明を図示する好適な実施の形態に基づいて詳述すれば、該実施の形態に係るダンパーの取付構造及び取付方法は、自動車のインストルメントパネル（支持体）Ｐ側にその下端部が回動可能に支持されて後壁Ｂａを有するグローブボックス（収納体）Ｂと、該グローブボックスＢの後壁Ｂａと対応するインストルメントパネルＰ側に固定される紐式エアダンパーＤとを前提として、当該紐式エアダンパーＤの紐１の先端部を後述するクリップ２を介してグローブボックスＢの後壁Ｂａ側に取り付けることを特徴とするものである。
【００１５】
尚、紐式エアダンパーＤについては、具体的には図示しないが、先に特許文献として説明した実用新案登録第２５５７０６４号公報に示す如く、両端部が開口した筒状のシリンダーと、紐１の基端部が連結されてシリンダー内を移動するピストンと、シリンダーの一端部側に設けられて空気の通過量を制御する弁装置と、シリンダーの他端部側に設けられて上記紐１を案内するガイドキャップと、シリンダー内においてガイドキャップとピストン間に介設されてピストンをシリンダーの一端部方向に付勢する圧縮スプリングとを有するものとする。
【００１６】
そして、本実施の形態にあって、まず、紐１の先端部に連結されるクリップ２に関しては、図１に示す如く、合成樹脂で略断面逆Ｕ字状に成形して、その一側片３Ａは、直線状を呈して、内面側に後述する第２止め部８の窪み１０に嵌合する突起４を形成し、他側片３Ｂは、一側片３Ａとの連結部位側が外方に湾曲してその後一側片３Ａとの距離を縮めながら下端部が再度外方に開く形状を呈して、上記湾曲部５の外面側に紐１の環状先端部を引っ掛ける引掛腕６を形成する構成となっている。
【００１７】
又、グローブボックスＢに関しては、図２に示す如く、その後壁Ｂａの上端縁に上記クリップ２を仮止めする第１止め部７とクリップ２を本止めする第２止め部８を一定の間隔をおいて形成するものであるが、当該第１止め部７と第２止め部８の間には、後壁Ｂａに沿った凸条リブ９ａを一体に有するスライドガイド部９を連続して形成して、凸条リブ９ａをクリップ２の他側片３Ｂに形成された湾曲部５に係合させながら、クリップ２をスライドガイド部９を介して第１止め部７と第２止め部８間をスライドさせる構成となっている。尚、特に、第２止め部８は、図示する如く、後述するＵターン部１１から離れた後壁Ｂａの上端縁より一段低く切り欠いて、クリップ２が第２止め部８に係止した状態では、クリップ２の連結面と後壁Ｂａの上端縁とが面一となるように設定すると共に、第２止め部８の内面下方に上記クリップ２の一側片３Ａに形成された突起４を嵌合する窪み１０を形成するものとする。
【００１８】
又、グローブボックスＢに関しては、これに加えて、一側壁Ｂｂに紐式エアダンパーＤの紐１を第１止め部７方向にＵターンさせるＵターン部１１を形成すると共に、インストルメントパネルＰ側に設けられたストッパー壁１３に当接してグローブボックスＢの全開位置を規制するストッパーボス１２を形成する構成となっている。更に、インストルメントパネルＰの上記ストッパー壁１３の近傍にクリップ２の着脱可能な保持部（図示せず）を適宜な手段を介して形成して、クリップ２を一時的に保持できる構成を採用している。
【００１９】
依って、紐１の先端部をクリップ２を介してグローブボックスＢの後壁Ｂａ側に取り付ける場合には、まず、インストルメントパネルＰに紐式エアダンパーＤのシリンダーを固定すると同時に、該紐式エアダンパーＤの紐１の先端部に引掛腕６を介して連結されているクリップ２を上記図示しない保持部に保持した状態を得て、インストルメントパネルＰにグローブボックスＢの下端部を回動可能に支持することとなるが、この場合には、グローブボックス自体は、ストッパーボス１２がストッパー壁１３に当接していないので、下方にぶら下がった状態におかれる。
【００２０】
そこで、作業員は、図３に示す如く、片手でグローブボックスＢをある程度引き起こしながら、インストルメントパネルＰとグローブボックスＢの間に画成される開口１４からもう一方の手を挿し入れて、保持部に保持されているクリップ２を取り出した後、紐１の中間部をＵターン部１１に引っ掛ける状態を得て、図４に示す如く、クリップ２をグローブボックスＢの後壁Ｂａに形成された第１止め部７に仮止めして、ストッパーボス１２をインストルメントパネルＰのストッパー壁１３に強制的に当接させると、図５に示す如く、グローブボックスＢは、その全開位置を規制されることとなるので、作業員の手を離しても、グローブボックスＢが下方に回動することがない。尚、クリップ２が第１止め部７に仮止めしている時には、紐式エアダンパーＤの紐１は、Ｕターン部１１に引っ掛かっているが、全体的には弛んでいる。
【００２１】
従って、後は、やはり、上記開口１４内に手を挿し入れて、第１止め部７に仮止めしているクリップ２を指先で把持しながら、スライドガイド部９に沿って第２止め部８方向に移動すると、図６に示す如く、窪み１０に対する突起４の嵌合状態を得て、クリップ２が一段下がりながらに第２止め部８に確実に本止めされることとなるので、これにより、紐１の先端部がクリップ２を介してグローブボックスＢの後壁Ｂａ側に簡単に取り付けられる。尚、このクリップ２を第１止め部７から第２止め部８にスライドさせる場合には、スライドガイド部９の凸条リブ９ａがクリップ２の他側片３Ｂ側の湾曲部５に係合してスライドすることとなるので、確実なスライドが保障でき、且つ、クリップ２が不用意に抜け外れる心配もない。又、クリップ２が第２止め部８に本止めされた時には、そのスライド量に応じて、紐式エアダンパーＤの紐１が全体的に張ることとなる。
【００２２】
そして、図７に示す如く、グローブボックスＢを閉塞位置にロックすれば、その使用に供せられることとなるが、斯かる状態から、従来と同様に、グローブボックスＢを開方向へ回動させると、紐１がシリンダー内から徐々に引き出されて、ピストンが圧縮スプリングのばね圧に抗して同方向へ移動するので、空気は弁装置を介してシリンダー内に流入して、これにより、ダンパー効果を得て、グローブボックスＢはゆっくりと開放状態に移動することが保障される。
【００２３】
又、グローブボックスＢを閉方向へ回動させると、今度は、ピストンが紐１を伴って圧縮スプリングのばね圧でシリンダー内を強制的に押し戻されて、シリンダー内に蓄積された空気を弁装置を介して外部に逃がすので、ピストンがシリンダー内を速やかに移動して、グローブボックスＢの閉動作を助長することとなる。
【００２４】
【発明の効果】
以上の如く、本発明は、上記構成の採用により、紐の先端部に連結されているクリップを収納体の後壁に形成された第１止め部に係止した後、当該クリップを同じく収納体の後壁に形成された第２止め部にスライドさせて係止するだけで、紐式エアダンパーの紐の先端部をクリップを介して収納体の後壁側に簡単に取り付けることが可能となる。しかも、クリップが第１止め部に係止している時には、紐が弛んでいるので、クリップを第２止め部にスライドさせる場合にも、スライド作業が容易となる。
【図面の簡単な説明】
【図１】（Ａ）は本発明の実施の形態に供されるクリップの斜視図、（Ｂ）は同断面図である。
【図２】グローブボックスの後壁側の構造を示す要部斜視図である。
【図３】グローブボックスを引き起こした状態を示す説明図である。
【図４】（Ａ）はクリップを第１止め部に仮止めした状態を示す説明図、（Ｂ）は同断面図である。
【図５】クリップを第１止め部に仮止めしたまま、グローブボックスの全開位置を規制した状態を示す説明図である。
【図６】（Ａ）はクリップを第２止め部に本止めした状態を示す説明図、（Ｂ）は同断面図である。
【図７】クリップを第２止め部に本止めしたまま、グローブボックスを閉塞位置にロックした状態を示す説明図である。
【符号の説明】
Ｐ    インストルメントパネル（支持体）
Ｂ    グローブボックス（収納体）
Ｂａ  グローブボックスの後壁
Ｂｂ  グローブボックスの側壁
Ｄ    紐式エアダンパー
１    紐
２    クリップ
３Ａ  一側片
３Ｂ  他側片
４    突起
５    湾曲部
６    引掛腕
７    第１止め部
８    第２止め部
９    スライドガイド部
９ａ  凸条リブ
１０  窪み
１１  Ｕターン部
１２  ストッパーボス
１３  ストッパー壁
１４  開口
【図１】
2004216969.tif 000003
【図２】
2004216969.tif 000004
【図３】
2004216969.tif 000005
【図４】
2004216969.tif 000006
【図５】
2004216969.tif 000007
【図６】
2004216969.tif 000008
【図７】
2004216969.tif 000009